(57)【特許請求の範囲】
【請求項１】
入力電圧を降圧する駆動を行うスイッチングレギュレータと、
前記スイッチングレギュレータに並列に接続され、前記入力電圧を降圧する駆動を行うシリーズレギュレータと、
前記入力電圧の値が所定の電圧値を超える場合に、前記シリーズレギュレータの駆動を停止させる制御回路と、
を備え、
前記制御回路は、前記入力電圧が所定の電圧値を超えているときに駆動する前記スイッチングレギュレータが停止状態であっても、前記シリーズレギュレータの停止状態を継続させること、
を特徴とする電源回路。
【請求項２】
請求項１に記載の電源回路において、
前記シリーズレギュレータは、前記入力電圧が所定の電圧値を下回り、前記スイッチングレギュレータから出力される電圧値が低下し始めるタイミングで駆動を開始すること、
を特徴とする電源回路。
【請求項３】
入力電圧が与えられる入力部、および、前記入力電圧を降圧した電圧を出力する出力部との間に設けられた第１シリーズレギュレータと、
前記入力部および前記出力部との間に設けられ、前記第１シリーズレギュレータと直列に接続された第２シリーズレギュレータと、
前記第１シリーズレギュレータに対してスイッチングレギュレータが並列に接続されるか否かに応じて、前記第１シリーズレギュレータのアナログ演算回路の入力端子に接続された抵抗素子の抵抗値を設定する制御回路と、
を備える電源回路。
【請求項４】
請求項３に記載の電源回路において、
前記制御回路は、前記スイッチングレギュレータが接続される場合は、前記抵抗素子を用いて分圧する電圧の第１目標電圧に対応させて、前記抵抗素子の抵抗値を設定し、前記スイッチングレギュレータが接続されない場合は、前記入力電圧に応じて、前記抵抗素子を用いて分圧する電圧の第１目標電圧、および、前記第１目標電圧よりも高い電圧値である第２目標電圧のいずれか一方の目標電圧に対応させて、前記抵抗素子の抵抗値を設定すること、
を特徴とする電源回路。
【発明の詳細な説明】
【技術分野】
【０００１】
本発明は、電圧を降圧する電源回路に関する。
【背景技術】
【０００２】
バッテリ電源からの入力電圧を降圧して電子装置に出力する電源回路は、次のように構成される。例えば、電源回路は、電圧が入力される入力部と降圧された電圧が出力される出力部とを備え、入力部と出力部との間にスイッチングレギュレータと、当該スイッチングレギュレータに並列に接続されたシリーズレギュレータとが設けられ、入力電圧を降圧して電子装置に出力する。詳細には、通常はスイッチングレギュレータが駆動して入力電圧を降圧した電圧を出力し、負荷変動等により目標とする電圧が得られていない場合は、シリーズレギュレータを駆動させて目標とする電圧が得られるようにする。なお、本発明と関連する技術を説明する資料としては特許文献１がある。
【先行技術文献】
【特許文献】
【０００３】
【特許文献１】特開平１１−３１２６号公報
【発明の概要】
【発明が解決しようとする課題】
【０００４】
しかしながら、スイッチングレギュレータの降圧処理により目標とする電圧が得られない場合に、シリーズレギュレータを駆動させる構成では、スイッチングレギュレータが故障などにより駆動しないときは、シリーズレギュレータが継続的に駆動することとなる。このような場合において入力電圧が所定の電圧よりも高いときに、シリーズレギュレータが継続的に駆動すると、シリーズレギュレータから許容範囲を超えるエネルギー損失が発生し、シリーズレギュレータが故障する可能性がある。その結果、電源回路から電圧の供給を受ける電子装置が、その動作中に急に動作を停止させる可能性がある。
【０００５】
本発明は、電源回路からの急な電圧の供給停止を防止することを目的とする。
【課題を解決するための手段】
【０００６】
上記課題を解決するために、本発明は、入力電圧を降圧する駆動を行うスイッチングレギュレータと、前記スイッチングレギュレータに並列に接続され、前記入力電圧を降圧する駆動を行うシリーズレギュレータと、前記入力電圧の値が所定の電圧値を超える場合に、前記シリーズレギュレータの駆動を停止させる制御回路と、を備え、前記制御回路は、前記入力電圧が所定の電圧値を超えているときに駆動する前記スイッチングレギュレータが停止状態であっても、前記シリーズレギュレータの停止状態を継続させる。
【０００７】
また、本発明は、請求項１に記載の電子回路において、前記シリーズレギュレータは、前記入力電圧が所定の電圧値を下回り、前記スイッチングレギュレータから出力される電圧値が低下し始めるタイミングで駆動を開始する。
【０００８】
また、本発明は、入力電圧が与えられる入力部、および、前記入力電圧を降圧した電圧を出力する出力部との間に設けられた第１シリーズレギュレータと、前記入力部および前記出力部との間に設けられ、前記第１シリーズレギュレータと直列に接続された第２シリーズレギュレータと、前記第１シリーズレギュレータに対してスイッチングレギュレータが並列に接続されるか否かに応じて、前記第１シリーズレギュレータのアナログ演算回路の入力端子に接続された抵抗素子の抵抗値を設定する制御回路と、を備える。
【０００９】
さらに、本発明は電源回路において、前記制御回路は、前記スイッチングレギュレータが接続される場合は、前記抵抗素子を用いて分圧する電圧の第１目標電圧に対応させて、前記抵抗素子の抵抗値を設定し、前記スイッチングレギュレータが接続されない場合は、前記入力電圧に応じて、前記抵抗素子を用いて分圧する電圧の第１目標電圧、および、前記第１目標電圧よりも高い電圧値である第２目標電圧のいずれか一方の目標電圧に対応させて、前記抵抗素子の抵抗値を設定する。
【発明の効果】
【００１０】
本発明によれば、入力電圧が所定の電圧値を超える場合にシリーズレギュレータの駆動を停止させることで、電子装置が動作を開始する前に既に電源回路のスイッチングレギュレータが故障等の原因により駆動しない場合に、電源回路が電子装置の動作中に当該電子装置に対して急に電圧の供給を停止することを防止できる。また、この電源回路を使用するシステムの安全性を確保できる。
また、本発明によれば、制御回路は、スイッチングレギュレータが入力電圧を降圧する駆動状態にかかわらず、シリーズレギュレータの駆動を停止させることで、スイッチングレギュレータが故障などの原因で継続的に駆動しない場合に、シリーズレギュレータが継続的に駆動して、シリーズレギュレータが故障することを防止できる。
【００１１】
さらに、本発明によれば、第１シリーズレギュレータと並列に接続されるスイッチングレギュレータの有無に応じて、第１シリーズレギュレータのアナログ演算回路の入力端子と接続された可変抵抗の抵抗値を設定することで、基本的な回路構成を変更することなく必要に応じた設計が可能となり、ＩＣの汎用性を向上させられる。
【図面の簡単な説明】
【００１２】
【図１】図１は、第１の実施の形態の電源回路の回路構成を示す図である。
【図２】図２は、入力電圧に応じたレギュレータの駆動状態を示す図である。
【図３】図３は、第２の実施の形態の電源回路の回路構成を示す図である。
【図４】図４は、第２の実施の形態の電源回路の回路構成を示す図である。
【発明を実施するための形態】
【００１３】
以下、図面を参照しつつ本発明の実施の形態について説明する。以下に示す実施の形態は例示であり、本願発明の技術的範囲をこれらに限定するものではない。
【００１４】
＜第１の実施の形態＞
＜１−１．電源回路＞
図１は、電源回路１の回路図である。電源回路１は、例えば車両に搭載されるＥＣＵ（Electronic Control Unit）が動作する電圧を供給するために、バッテリ電源（例えば図１に示すバッテリ電源３）からの入力電圧を降圧して出力する。なお、本実施の形態では、たとえばエンジンの駆動を制御するエンジン制御ＥＣＵのマイコンへ一定の電力を供給するための電源回路として採用される。
エンジン始動時は、図示せぬイグニッションスイッチの操作によりバッテリ電源３からの電力が電源回路１に供給される。そして、電源回路１によりバッテリ電源３からの電力が一定電力に変換され、マイコンに動作電源が供給されることにより、マイコンがエンジン制御処理を開始する。これによりエンジン制御ＥＣＵの駆動が開始し、エンジンの駆動制御がなされる。
【００１５】
次に本実施の形態における電源回路１の機能配置の背景について説明する。エンジン制御ＥＣＵを低コスト化するためには、スイッチングレギュレータ１０などの構成を１つのＩＣとして統合し、構成を簡略化することが考えられる。
しかしながら、スイッチングレギュレータ１０をＩＣ２内に組み込むと、電流能力の制限などもあるので、スイッチングレギュレータ１０としては汎用のものを採用し、汎用のスイッチングレギュレータ１０をＩＣ２に外付けするのが望ましい。
ただし、汎用のスイッチングレギュレータ１０を採用した場合、当該スイッチングレギュレータ１０の最低動作電圧が高いため、これをサポートする必要がある。
今回は、そのサポート機能として低電圧駆動する第１シリーズレギュレータを１１採用し、低電圧時でも第１シリーズレギュレータ１１が駆動し、マイコンへの電力供給がなされるようにしている。
【００１６】
電源回路１はバッテリ電源３からの入力電圧が与えられる入力部４０１と、ＥＣＵに降圧した電圧を供給する出力部４０２との間にスイッチングレギュレータ１０、第１シリーズレギュレータ１１、第２シリーズレギュレータ１２、制御回路１３、有極性コンデンサ２１、および、コンデンサ２２を主に備える。ここで、第１シリーズレギュレータ１１と第２シリーズレギュレータ１２とは直列に接続され、第１シリーズレギュレータ１１とスイッチングレギュレータ１０とは並列に接続されている。
【００１７】
また、電源回路１の有極性コンデンサ２１は、例えば電解コンデンサであり、一端がＰＮＰトランジスタ１１１のコレクタと、コンデンサ１０３の一端と、ＩＣ２の端子Ｔ３を介して抵抗１１２の一端とに接続されている。有極性コンデンサ２１の他端はグランドに接続されている。
【００１８】
さらに、コンデンサ２２は、例えばセラミックコンデンサであり、一端が有極性コンデンサ２１の一端と、後述する第２シリーズレギュレータ１２のＰＮＰトランジスタ２０１のエミッタとに接続されている。コンデンサ２２の他端はグランドに接続されている。
【００１９】
また、電源回路１はその一部に、ＩＣ（Integrated Circuit）２を含んでおり、このＩＣ２の内部の素子は、端子Ｔ１〜Ｔ６を介してＩＣ２の外部の素子と接続されている。
【００２０】
＜１−２．スイッチングレギュレータ＞
スイッチングレギュレータ１０は、バッテリ電源３からの電圧（例えば、直流電圧14V）を入力電圧とし、この入力電圧を降圧して所定の電圧（例えば、直流電圧6.5V）とするよう駆動している。スイッチングレギュレータ１０は、スイッチング回路部１０１、コイル１０２、コンデンサ１０３、および、ダイオード１０４を主に備える。なお、以下で説明する電圧は全て直流電圧である。
【００２１】
スイッチング回路部１０１は、一端がバッテリ電源３と接続され、他端が後述するコイル１０２の一端と、ダイオード１０４のカソードとに接続されている。また、スイッチング回路部１０１はグランドに接続されている。スイッチング回路部１０１は、バッテリ電源３からの入力電圧をスイッチング回路部１０１内に設けられたスイッチング素子（例えば、ＮチャンネルＭＯＳ ＦＥＴ(Metal Oxide Semiconductor Field Effect Transistor))のスイッチング制御に応じた電圧に変換して出力する。
【００２２】
コイル１０２の一端は、スイッチング回路部１０１の他端と、ダイオード１０４のカソードとに接続されている。また、コイル１０２の他端はコンデンサ１０３の一端と、後述するＰＮＰトランジスタ１１１のコレクタとに接続されている。なお、コイル１０２の他端には、スイッチング回路部１０１に電圧を出力するフィードバックループが形成されている。
【００２３】
コンデンサ１０３の一端は、コイル１０２の他端と、ＰＮＰトランジスタ１１１のコレクタとに接続されている。また、コンデンサ１０３の他端はグランドと接続されている。
【００２４】
ダイオード１０４のアノードはグランドに接続され、カソードはスイッチング回路部１０１の他端と、コイル１０２の一端とに接続されている。
【００２５】
コイル１０２、コンデンサ１０３、および、ダイオード１０４は、スイッチング回路部１０１から出力された電圧を平滑化して、ＰＮＰトランジスタ１１１のコレクタに出力する。例えば、バッテリ電源３からスイッチングレギュレータ１０に供給される入力電圧の電圧値が14Vの場合、スイッチングレギュレータ１０は、スイッチング制御および平滑化の処理により、スイッチングレギュレータ１０から出力される電圧を6.5Vに降圧して出力する。これにより、電源回路１の有極性コンデンサ２１、および、コンデンサ２２に電荷が溜まり、これらの電位が6.0V〜6.5V前後に保たれる。
【００２６】
＜１−３．第１シリーズレギュレータ＞
第１シリーズレギュレータ１１は、ＰＮＰトランジスタ１１１、抵抗１１２、抵抗１１３、誤差アンプ１１４、基準電源１１５、ＯＲ回路１１６、および、バッファ１１７を主に備える。ＰＮＰトランジスタ１１１のエミッタはバッテリ電源３と接続され、ベースはＩＣ２の端子Ｔ２を介してバッファ１１７の出力端と接続されている。コレクタはコンデンサ１０３の一端と、ＩＣ２の端子Ｔ３を介して抵抗１１２の一端と、有極性コンデンサ２１の一端とに接続されている。
【００２７】
抵抗１１２の一端は、端子Ｔ３を介してＰＮＰトランジスタ１１１のコレクタと、コンデンサ１０３の一端と、有極性コンデンサ２１の一端とに接続されている。抵抗１１２の他端は、抵抗１１３の一端と、誤差アンプ１１４の非反転入力端子とに接続されている。
【００２８】
抵抗１１３の一端は、抵抗１１２の他端と、誤差アンプ１１４の非反転入力端子とに接続され、抵抗１１３の他端はグランドに接続されている。
【００２９】
誤差アンプ１１４はアナログ演算回路であり、非反転入力端子、反転入力端子、および、出力端子を備える。非反転入力端子は抵抗１１２の他端と、抵抗１１３の一端とに接続されている。反転入力端子は基準電源１１５の一端と接続されている。出力端子は、ＯＲ回路１１６の一方の入力端と接続されている。
【００３０】
基準電源（例えば、1.25V）１１５の一端は、誤差アンプ１１４の反転入力端子と接続され、基準電源１１５の他端はグランドに接続されている。
【００３１】
ＯＲ回路１１６の一方の入力端は、誤差アンプ１１４の出力端子と接続され、ＯＲ回路１１６の他方の入力端は後述する制御回路１３のＡＮＤ回路３０６の出力端と接続されている。また、ＯＲ回路１１６の出力端は、バッファ１１７の入力端と接続されている。
バッファ１１７の入力端は、ＯＲ回路１１６の出力端と接続され、バッファ１１７の出力端は、端子Ｔ２を介してＰＮＰトランジスタ１１１のベースに接続されている。
【００３２】
ここで、第１シリーズレギュレータ１１のＰＮＰトランジスタ１１１のコレクタと、抵抗１１２の一端と、コンデンサ１０３の一端とが接続されている接点ＣＰ１における目標電圧（以下、「第１目標電圧」という。）を例えば、6.0Vとする。この場合6.0Vを抵抗１１２、および、抵抗１１３で分圧した電圧が、誤差アンプ１１４の非反転入力端子に印加される。そして、分圧した電圧に対応する接点ＣＰ２の電圧と、基準電源１１５の電圧とが同じ電圧（例えば、1.25V）になるように抵抗１１２、および、抵抗１１３の抵抗値が予め設定されている。例えば、抵抗１１２の抵抗値をRΩとした場合、抵抗１１３の抵抗値はR／3.8Ωになる。
【００３３】
実際に電源回路１を駆動させた場合に、抵抗１１２および抵抗１１３で分圧した電圧が基準電源１１５の電圧よりも低いとき、つまり、接点ＣＰ１の電圧が第１目標電圧よりも低いときは、誤差アンプ１１４の出力端子からＯＲ回路１１６の一方の入力端にＬｏｗ信号が出力される。そして、後述する制御回路１３のＡＮＤ回路３０６の出力端からＬｏｗ信号が出力されて、ＯＲ回路１１６の他方の入力端にＬｏｗ信号が入力された場合、ＯＲ回路１１６の出力端からはＬｏｗ信号が出力される。
【００３４】
ＯＲ回路１１６の出力端から出力されたＬｏｗ信号は、バッファ１１７、および、端子Ｔ２を介して、ＰＮＰトランジスタ１１１のベースに伝達される。これにより、ＰＮＰトランジスタ１１１のエミッタ―コレクタ間に電流が流れ、有極性コンデンサ２１、および、コンデンサ２２に電荷が溜まり、ＣＰ１の電位が第１目標電圧に対応した電位に引き上げられる。
【００３５】
また、実際に電源回路１を駆動させた場合に、抵抗１１２および抵抗１１３で分圧した電圧が基準電源１１５の電圧よりも高いとき、つまり、接点ＣＰ１の電圧が第１目標電圧よりも高いときは、誤差アンプ１１４の出力端子からＯＲ回路１１６の一方の入力端にＨｉｇｈ信号が出力される。そして、後述する制御回路１３のＡＮＤ回路３０６の出力端からＬｏｗ信号およびＨｉｇｈ信号のうちいずれか一方の信号が出力されて、ＯＲ回路１１６の他方の入力端に入力されている場合、少なくともＯＲ回路の一方の入力端の信号がＨｉｇｈ信号であるためＯＲ回路１１６の出力端からはＨｉｇｈ信号が出力される。ＯＲ回路１１６の出力端から出力されたＨｉｇｈ信号は、バッファ１１７、および、端子Ｔ２を介して、ＰＮＰトランジスタ１１１のベースに伝達される。これにより、ＰＮＰトランジスタ１１１のエミッタ―コレクタ間に電流は流れず、有極性コンデンサ２１、および、コンデンサ２２の電荷が減少し、ＣＰ１の電位が第１目標電圧に対応した電位に引き下げられる。
【００３６】
ここで、従来技術において、スイッチングレギュレータが正常に駆動して、接点（例えば、接点ＣＰ１に対応する部分）の目標電圧が6.0Vで、実際の電圧が例えば、約6.5Vの場合、誤差アンプの非反転入力端子に印加される電圧に対応する接点（例えば、接点ＣＰ２に対応する部分）の電圧が基準電源(1.25V）の電圧よりも高い電圧となる。そのため、誤差アンプの出力端子からＯＲ回路の一方の入力端にＨｉｇｈ信号が出力される。
そして、ＯＲ回路からは、制御回路のＡＮＤ回路からＯＲ回路の他方の入力端に入力される信号の種類にかかわらず、Ｈｉｇｈ信号がバッファを介して、ＰＮＰトランジスタのベースに伝達される。その結果、ＰＮＰトランジスタの制御がオフ状態となり、ＰＮＰトランジスタのエミッタ―コレクタ間に電流が流れない。このように従来の技術では、スイッチングレギュレータの処理により、有極性コンデンサ、および、コンデンサに電荷が溜まり、接点の電位が目標電圧に対応した電位に引き上げられる制御が継続して行われていた。
【００３７】
そして、スイッチングレギュレータが正常に駆動している場合は、シリーズレギュレータは駆動することなく停止した状態となる。しかし、スイッチング回路部内の断線等の理由で、スイッチングレギュレータが故障して正常に駆動しなくなった場合、接点（例えば、接点ＣＰ１に対応する部分）の電圧が目標電圧に対応する電圧を下回る。そのため、スイッチングレギュレータに代わり、シリーズレギュレータが駆動して接点の電圧を目標電圧に対応した電圧とする。この場合、ＰＮＰトランジスタのエミッタ―コレクタ間に継続的に電流を流すこととなりエネルギー損失が発生する。
【００３８】
そして、バッテリ電源の入力電圧をシリーズレギュレータのみで降圧する処理を継続的に行うと、ＰＮＰトランジスタのエネルギー損失の許容範囲を超えるときがある。その結果、ＰＮＰトランジスタが故障することで、シリーズレギュレータが駆動せずに、ＥＣＵの動作中に当該ＥＣＵのマイコンに対して急に電源回路からの電圧供給が停止する場合があり、走行中の車両が停止するなどして、ユーザの安全性を阻害する可能性がある。
【００３９】
このような課題を解決すべく、入力電圧の電圧値が、後述する第１基準電圧（例えば、8V）を超える場合に、第１の実施の形態の技術では、制御回路１３が第１シリーズレギュレータ１１の駆動を停止する。つまり、スイッチングレギュレータ１０が入力電圧を降圧する駆動状態にかかわらず（接点ＣＰ１の電圧に関係なく）、入力電圧の電圧値が第１基準電圧よりも高ければ、第１シリーズレギュレータの駆動を制御回路１３が停止させる。その詳細について以下に説明する。
【００４０】
＜１−４．制御回路＞
制御回路１３は、抵抗３０１、抵抗３０２、コンパレータ３０３、基準電源３０４、インバータ３０５、および、ＡＮＤ回路３０６を主に備える。抵抗３０１の一端は、端子Ｔ１を介してバッテリ電源３に接続されている。抵抗３０１の他端は、抵抗３０２の一端と、コンパレータ３０３の非反転入力端子に接続されている。抵抗３０２の一端は、抵抗３０１の他端に接続され、抵抗３０２の他端はグランドに接続されている。
コンパレータ３０３の非反転入力端子は抵抗３０１の他端と、抵抗３０２の一端とに接続されている。また、コンパレータ３０３の反転入力端子は、基準電源３０４と接続され、コンパレータ３０３の出力端子はＡＮＤ回路３０６の一方の入力端に接続されている。
【００４１】
基準電源（例えば、1.25V）３０４の一端は、コンパレータ３０３の反転入力端子と接続され、他端はグランドに接続されている。
インバータ３０５の入力端は端子Ｔ６に接続され、インバータ３０５の出力端はＡＮＤ回路３０６の他方の入力端に接続されている。インバータ３０５の入力端には端子Ｔ６を介してＬｏｗ信号が入力される。
【００４２】
ＡＮＤ回路３０６の一方の入力端は、コンパレータ３０３の出力端と接続され、他方の入力端はインバータ３０５の出力端と接続されている。また、ＡＮＤ回路３０６の出力端は第１シリーズレギュレータ１１のＯＲ回路１１６の他方の入力端に接続されている。
制御回路１３では、例えば入力電圧であるバッテリ電源３の電圧値が8Vの場合に、入力電圧を抵抗３０１および抵抗３０２で分圧した接点ＣＰ３の電圧が、基準電源３０４の電圧（例えば、1.25V）と同じ電圧となるように抵抗３０１および抵抗３０２の抵抗値が予め設定されている。例えば、抵抗３０１をRΩとすると、抵抗３０２の抵抗値はR/5.4Ωとなる。
【００４３】
そして、第１シリーズレギュレータ１１の駆動を制御する電圧を第１基準電圧（例えば、8V）といい、入力電圧が第１基準電圧を超える場合、第１シリーズレギュレータの駆動は停止される。詳細には、入力電圧が第１基準電圧を超える場合に、抵抗３０１および抵抗３０２で分圧した接点ＣＰ３の電圧値が1.25Vを超えることとなり、1.25Vを超える電圧がコンパレータ３０３の非反転入力端子に印加される。そして、コンパレータ３０３は、非反転入力端子に印加された電圧値と反転入力端子に印加された基準電源３０４の電圧値とを比較する。その結果、非反転入力端子に印加された電圧値の方が高いため、コンパレータ３０３の出力端子からはＨｉｇｈ信号が出力され、Ｈｉｇｈ信号がＡＮＤ回路３０６の一方の入力端に入力される。また、ＡＮＤ回路の他方の入力端にはインバータ３０５の出力端からのＨｉｇｈ信号が入力されるため、ＡＮＤ回路３０６の出力端からＯＲ回路１１６の他方の入力端にＨｉｇｈ信号が出力される。
【００４４】
ＯＲ回路１１６の他方の入力端にＨｉｇｈ信号が入力されたことで、ＯＲ回路１１６の一方の入力端に入力される信号がＨｉｇｈ信号およびＬｏｗ信号のいずれの場合であっても、ＯＲ回路１１６の出力端からはＨｉｇｈ信号が出力される。このＨｉｇｈ信号がバッファ１１７、および、端子Ｔ２を介して、ＰＮＰトランジスタ１１１のベースに伝達される。その結果、ＰＮＰトランジスタ１１１の制御はオフ状態となり、エミッタ―コレクタ間に電流は流れない。
【００４５】
このように入力電圧が第１基準電圧を超える場合に、第１シリーズレギュレータ１１の駆動が停止することで、ＥＣＵが動作を開始する前に既に電源回路１のスイッチングレギュレータ１０が故障等の原因により駆動しない場合に、電源回路１がＥＣＵの動作中に当該ＥＣＵのマイコンに対して急に電圧の供給を停止することを防止できる。また、この電源回路１を使用する車両システムの安全性を確保できる。さらに、このような制御は、スイッチングレギュレータ１０が入力電圧を降圧する駆動状態にかかわらず行われる。つまり、スイッチングレギュレータ１０の駆動状態にかかわらず行われるため、スイッチングレギュレータ１０が故障などの原因で継続的に駆動しない場合に、第１シリーズレギュレータ１１が継続的に駆動して、第１シリーズレギュレータ１１が故障することを防止できる。
【００４６】
なお、入力電圧が第１基準電圧を下回る場合は、第１シリーズレギュレータ１１の駆動が、第１目標電圧に対する接点ＣＰ１の電圧値に応じて制御される。詳細には入力電圧が第１基準電圧を下回る場合に、抵抗３０１および抵抗３０２で分圧した接点ＣＰ３の電圧値が1.25Vを下回ることとなり、1.25Vを下回る電圧がコンパレータ３０３の非反転入力端子に印加される。そして、コンパレータ３０３は、非反転入力端子に印加された電圧値と反転入力端子に印加された基準電源３０４の電圧値とを比較する。その結果、非反転入力端子に印加された電圧値の方が低いため、コンパレータ３０３の出力端子からはＬｏｗ信号が出力され、ＡＮＤ回路３０６の一方の入力端に入力される。また、ＡＮＤ回路の他方の入力端にはインバータ３０５の出力端からのＨｉｇｈ信号が入力されるため、ＡＮＤ回路３０６の出力端からＯＲ回路１１６の他方の入力端にＬｏｗ信号が出力される。
【００４７】
そして、ＯＲ回路１１６の他方の入力端にＬｏｗ信号が入力されている場合に、ＯＲ回路１１６の一方の入力端にＨｉｇｈ信号が入力されているときは、バッファ１１７、および、端子Ｔ２を介して、ＰＮＰトランジスタ１１１のベースにＨｉｇｈ信号が伝達され、エミッタ―コレクタ間に電流は流れなくなる。また、ＯＲ回路１１６の一方の入力端にＬｏｗ信号が入力されているときは、バッファ１１７、および、端子Ｔ２を介してＰＮＰトランジスタ１１１のベースにＬｏｗ信号が伝達され、エミッタ―コレクタ間の電流は流れる。
【００４８】
＜１−５．各レギュレータの駆動状態のグラフ＞
ここで、図２を用いてスイッチングレギュレータ１０、および、第１シリーズレギュレータ１１の入力電圧に応じた駆動状態について説明する。図２は、各レギュレータの入力電圧に応じた駆動状態を示す図である。図２に示すグラフの横軸は入力電圧（V）、縦軸は出力電圧（V）を示している。図２上図は、スイッチングレギュレータ１０の入力電圧に応じた駆動状態を示している。スイッチングレギュレータ１０は、入力電圧が14V〜8Vまでの間、6.5Vの出力電圧を出力する。そして、入力電圧が8V〜6Vの間、所定の傾きで出力電圧の値が低下し、入力電圧が6V以下の場合は、出力電圧は0Vとなる。
【００４９】
図２下図は、第１シリーズレギュレータ１１の入力電圧に応じた駆動状態を示している。第１シリーズレギュレータ１１は、入力電圧が14V〜8Vの間、出力電圧は0Vである。これは上述の図１に示した電源回路１の回路図において、制御回路１３のＡＮＤ回路３０６の出力端から第１シリーズレギュレータ１１のＯＲ回路１１６の入力端にＨｉｇｈ信号が出力され、このＨｉｇｈ信号がＰＮＰトランジスタ１１１に伝達されることで、ＰＮＰトランジスタ１１１の制御がオフ状態となり、エミッタ―コレクタ間に電流が流れない状態を示している。そして、入力電圧が8Vの場合は、出力電圧が6Vとなり、その後入力電圧が8Vから低下する間は、出力電圧を6Vに保つ。その後入力電圧が更に低下して3Vとなるまでは、出力電圧が6Vから所定の傾きで低下する。そして、入力電圧が3Vを下回った場合は、出力電圧は0Vとなる。
【００５０】
このように、スイッチングレギュレータ１０、および、第１シリーズレギュレータ１１が駆動する入力電圧の範囲はそれぞれ異なる範囲となっており、特に第１シリーズレギュレータ１１は、入力電圧が第１基準電圧(8V)を超える場合は駆動しない。
【００５１】
＜１−６．第２シリーズレギュレータ＞
図１に戻り、第２シリーズレギュレータについて説明する。第２シリーズレギュレータ１２は、ＰＮＰトランジスタ２０１、抵抗２０２、抵抗２０３、誤差アンプ２０４、基準電源２０５、バッファ２０６を主に備える。ＰＮＰトランジスタ２０１のエミッタはコンデンサ２２の一端と接続され、ベースはＩＣ２の端子Ｔ４を介してバッファ２０６の出力端と接続されている。また、コレクタはＩＣ２の端子Ｔ５を介して抵抗２０２の一端と、有極性コンデンサ２３の一端とに接続されている。
【００５２】
抵抗２０２の一端は、端子Ｔ５を介してＰＮＰトランジスタ２０１のコレクタと、有極性コンデンサ２３の一端とに接続されている。抵抗２０２の他端は、抵抗２０３の一端と、誤差アンプ１１４の非反転入力端子とに接続されている。
【００５３】
抵抗２０３の一端は抵抗２０２の他端と、誤差アンプ２０４の非反転入力端子とに接続され、抵抗２０３の他端はグランドに設置されている。
【００５４】
誤差アンプ２０４はアナログ演算回路であり、非反転入力端子、反転入力端子、および、出力端子を備える。非反転入力端子は抵抗２０２の他端と、抵抗２０３の一端とに接続されている。反転入力端子は基準電源２０５の一端と接続されている。出力端子は、バッファ２０６の入力端に接続されている。
【００５５】
基準電源（例えば、1.25V）２０５の一端は、誤差アンプ２０４の反転入力端子と接続され、他端はグランドに接続されている。
バッファ２０６の入力端は、誤差アンプ２０４の出力端と接続されており、バッファ２０６の出力端は、ＰＮＰトランジスタ２０１のベースに接続されている。
【００５６】
そして、第２シリーズレギュレータ１２のＰＮＰトランジスタ２０１のコレクタと、抵抗２０２の一端と、有極性コンデンサ２３の一端とが接続されている接点ＣＰ４における目標電圧（以下、「特定目標電圧」という。）を例えば、5.0Vとする。この場合5.0Vを抵抗２０２、および、抵抗２０３で分圧した電圧が誤差アンプ２０４の非反転入力端子に印加される電圧となる。そして、分圧した電圧に対応する接点ＣＰ５の電圧と、基準電源２０５の電圧とが同じ電圧（例えば、1.25Ｖ）となるように抵抗２０２、および、抵抗２０３の抵抗値が予め設定されている。例えば、抵抗２０２の抵抗値をRΩとした場合、抵抗２０３の抵抗値はR／3Ωとなる。
【００５７】
そして、実際に電源回路１を駆動させた場合に、抵抗２０２および抵抗２０３で分圧した接点ＣＰ５の電圧が基準電源２０５の電圧よりも低いとき、つまり、接点ＣＰ４の電圧が特定目標電圧よりも低いときは、誤差アンプ２０４の出力端子からバッファ２０６の入力端にＬｏｗ信号が出力される。そして、バッファ２０６の出力端から出力されるＬｏｗ信号が、端子Ｔ４を介してＰＮＰトランジスタ２０１のベースに伝達される。これにより、ＰＮＰトランジスタ２０１のエミッタ―コレクタ間に電流が流れ、有極性コンデンサ（例えば、電解コンデンサ）２３、および、コンデンサ（例えば、セラミックコンデンサ）２４に電荷が溜まり、ＣＰ４の電位が特定目標電圧に対応した電位に引き上げられる。
【００５８】
また、実際に電源回路１を駆動させた場合に、抵抗２０２および抵抗２０３で分圧した接点ＣＰ５の電圧が基準電源２０５の電圧よりも高いとき、つまり、接点ＣＰ４の電圧が特定目標電圧よりも高いときは、誤差アンプ２０４の出力端子からバッファ２０６の入力端にＨｉｇｈ信号が出力される。そして、バッファ２０６出力端から出力されるＨｉｇｈ信号が、端子Ｔ４を介してＰＮＰトランジスタ２０１のベースに伝達される。これにより、ＰＮＰトランジスタ２０１のエミッタ―コレクタ間に電流は流れず、有極性コンデンサ２３、および、コンデンサ２４の電荷は減少し、ＣＰ４の電位が特定目標電圧に対応した電位に引き下げられる。このように、有極性コンデンサ２３、および、コンデンサ２４の電位が特定目標電圧に対応する電位に調整され、出力部４０２から電子装置であるＥＣＵが駆動するための電圧が供給される。
【００５９】
以上、説明した電源回路１の動作を、エンジンの始動時（ＥＣＵのマイコンの処理開始時）から説明する。まず、図示せぬイグニッションスイッチを操作するとバッテリ３からの電力が電源回路１に供給される。もし、始動時にスイッチングレギュレータ１０がすでに故障しているとすると、入力電圧が0V〜14Vに上昇しても、スイッチングレギュレータ１０からマイコンへ電力供給はなされない。
【００６０】
その一方、第１シリーズレギュレータ１１においては、図２の下図に示すように入力電圧が0Vから3Ｖに到達すると、マイコンへ電力供給を開始（低電圧サポート）するが、入力電圧が所定電圧の8V以上を超えると、制御回路１３の作用により、第１シリーズレギュレータ１１の駆動が停止され、マイコンへの電力供給が停止する。これにより、第１シリーズレギュレータ１１が動作を継続し、故障してしまうのを防止することができる。
更には、エンジン始動時、つまりエンジン制御ＥＣＵが実際の走行のための駆動を開始する前に、マイコンへの電力供給が停止され、エンジン駆動の制御が停止するので、スイッチングレギュレータ１０が故障したまま車両が走行することを未然に防止でき、低コストＥＣＵながら、高い電源供給機能、および、フェールセーフ機能を実現することができる。
【００６１】
＜第２の実施の形態＞
次に、第２の実施の形態について説明する。第２の実施の形態と第１の実施の形態との相違点は次のとおりである。第１の実施の形態で説明した電源回路１は第１シリーズレギュレータ１１にスイッチングレギュレータ１０が並列に接続された構成であった。ここで、第１シリーズレギュレータ１１にスイッチングレギュレータ１０を並列に接続することで、電源回路１の部品点数が増加し、電源回路１の小型化を阻害する場合がある。そのため、設計時に必要とされる電源回路１のサイズに応じて、次のような回路構成が望ましい。つまり、スイッチングレギュレータ１０を第１シリーズレギュレータ１１aに並列に接続した電源回路（例えば、図３に示す電源回路１a）と、スイッチングレギュレータ１０を第１シリーズレギュレータ１１aに並列に接続しない（スイッチングレギュレータをＩＣ２ａに設けない）電源回路（例えば、図４に示す電源回路１ｂ）とを電源回路１の基本的な回路構成は変更せずに、容易に選択できる技術が必要とされる。
【００６２】
以下では、第２の実施の形態として、図３および図４に示すＩＣ２ａに対してスイッチングレギュレータ１０の接続の有無に応じた回路設定の変更が可能な電源回路について説明する。なお、第２の実施の形態における構成は第１の実施の形態と略同一である。以下では、相違点を中心に説明する。
【００６３】
＜２−１．ＩＣの新規構成＞
図３は、第２の実施の形態の電源回路１ａの回路構成を示す図である。図４は、第２の実施の形態の電源回路１ｂの回路構成を示す図である。図３および図４の電源回路１ａ、および、電源回路１ｂと、図１の電源回路１との構成の違いは、次のようなものである。図３および図４では、まずＩＣ２ａを基本の回路構成とする。そして、ＩＣ２ａに含まれる第１シリーズレギュレータ１１ａに対してスイッチングレギュレータ１０を並列に接続する場合（図３に示す電源回路１ａ）と、スイッチングレギュレータ１０をＩＣ２ａに設けない場合（図４に示す電源回路１ｂ）を基本回路構成であるＩＣ２ａの回路内の設定を変更（モード設定を変更）することで実現するために、図１の構成と比べて図３および図４において新たな構成が設けられている。
【００６４】
具体的には、図３および図４におけるＩＣ２ａの第１シリーズレギュレータ１１ａは、抵抗１１３ａ、抵抗１１３ｂ、および、スイッチ１１８を新たに備える。また、制御回路１３ａは、抵抗３１１、抵抗３１２、コンパレータ３１３、基準電源３１４、インバータ３１５、および、ＡＮＤ回路３１６を新たに備える。このようにＩＣ２ａ内に新たに設けられた回路素子を用いて、スイッチングレギュレータ１０が接続されるか否かに応じたＩＣ２ａの回路内のモード設定が行われる。
【００６５】
＜２−２．モードの説明＞
ここで、スイッチングレギュレータ１０を第１シリーズレギュレータ１１ａに並列に接続するか否かに応じて、ＩＣ２ａの回路設定を変更するための構成を詳細に説明する前に、それぞれのモードの機能的な違いについて説明する。スイッチングレギュレータ１０を第１シリーズレギュレータ１１ａに並列に接続する場合を、例えば「低損失モード」という。この「低損失モード」は、図３に示すようにスイッチングレギュレータ１０が第１シリーズレギュレータ１１ａと並列に接続され、通常はスイッチングレギュレータ１０が、バッテリ電源３からの入力電圧を降圧して、接点ＣＰ１の電圧が第１目標電圧（例えば、6V）となるように駆動する。そして、スイッチングレギュレータ１０に降圧された電圧を第１シリーズレギュレータ１１ａと直列に接続された第２シリーズレギュレータ１２の駆動により、接点ＣＰ４の電圧が特定目標電圧（例えば、5V）となるよう降圧してＥＣＵのマイコンに電圧を供給する。
【００６６】
なお、第１シリーズレギュレータ１１ａはスイッチングレギュレータ１０の降圧処理をサポートするものであり、この場合の電源回路１における降圧処理は主にスイッチングレギュレータ１０の駆動により実現される。そのため、第１シリーズレギュレータ１１ａ、および、第２シリーズレギュレータ１２のみにより降圧処理の駆動させる場合と比較して、スイッチングレギュレータ１０を用いた降圧処理は、各レギュレータのエネルギー損失が少ないことから、このように第１シリーズレギュレータ１１ａにスイッチングレギュレータ１０を接続して降圧処理するモードを「低損失モード」という。なお、モードを「低損失モード」に設定する場合は、後述するように設定時にインバータ３０５の入力端にＬｏｗ信号が入力されるよう設定される。
【００６７】
次に、スイッチングレギュレータ１０を第１シリーズレギュレータ１１ａに並列に接続しない場合（スイッチングレギュレータ１０をＩＣ２ａに設けない場合）を、例えば「熱分散モード」という。このモードは、図４に示すようにスイッチングレギュレータ１０を第１シリーズレギュレータ１１ａに並列に接続せずに、第１シリーズレギュレータ１１ａと第２シリーズレギュレータ１２のみが直列に接続された構成である。
【００６８】
上述の「低損失モード」では、スイッチングレギュレータ１０が接点ＣＰ１の電圧を第１目標電圧（例えば、6V）とするよう駆動し、第２シリーズレギュレータ１２が接点ＣＰ４の電圧を特定目標電圧（例えば、5V）とするよう駆動していた。これに対して、「熱分散モード」は、入力電圧であるバッテリ電源３の電圧に対して、第２基準電圧（例えば、11V）を設定し、入力電圧が第２基準電圧を超える場合は、第１シリーズレギュレータ１１ａが、接点ＣＰ１の電圧を第２目標電圧(例えば、10V）とするよう駆動し、第２シリーズレギュレータ１２が接点ＣＰ４の電圧を特定目標電圧（例えば、5V）とするよう駆動する。
【００６９】
また、「熱分散モード」において、入力電圧が第２基準電圧を下回る場合は、第１シリーズレギュレータ１１ａが、接点ＣＰ１の電圧を第１目標電圧(例えば、6V）とするよう駆動し、第２シリーズレギュレータ１２が接点ＣＰ４の電圧を特定目標電圧（例えば、5V）とするよう駆動するものである。
【００７０】
これにより、入力電圧が第２基準電圧を超える場合、例えば入力電圧14Vの場合は、第１シリーズレギュレータ１１aは、入力電圧14Vを降圧して10Vとし（電流が100mAの場合、エネルギー損失（消費電力）は0.4W）、第２シリーズレギュレータ１２は10Vを降圧して5Vとする（電流が100mAの場合、エネルギー損失（消費電力）は0.5W）。
【００７１】
また、入力電圧が第２基準電圧を下回る場合、例えば入力電圧8Vの場合は、第１シリーズレギュレータ１１aは、入力電圧8Vを降圧して6Vとし（電流が100mAの場合、エネルギー損失（消費電力）は0.2W）、第２シリーズレギュレータ１２は6Vを降圧して5Vとする（電流が100mAの場合、エネルギー損失（消費電力）は0.1W）。このように主に２つのシリーズレギュレータで降圧処理するモードを「熱分散モード」といい、この構成により各シリーズレギュレータのエネルギー損失を略均等となるように分散できる。なお、モードを「熱分散モード」に設定する場合は、後述するように設定時にインバータ３０５の入力端にＨｉｇｈ信号が入力されるよう設定される。
【００７２】
＜２−３．ＩＣの回路構成の詳細＞
次に、スイッチングレギュレータ１０を並列に接続するか否かに応じた回路構成の詳細を図３および図４を用いて説明する。図３および図４の第１シリーズレギュレータ１１ａの抵抗１１３ａの一端は、抵抗１１２の他端に接続され、抵抗１１３ａの他端は抵抗１１３ｂの一端に接続されている。また、抵抗１１３ｂの一端は、抵抗１１３ａと接続され、抵抗１１３ｂの他端はグランドに接続されている。
スイッチ１１８の一端は、抵抗１１３ａの他端と抵抗１１３ｂの一端との間に接続されている。また、スイッチ１１８の他端は、抵抗１１３ｂの他端とグランドとの間に接続されている。
【００７３】
ここで、抵抗１１３ａと抵抗１１３ｂとの合成抵抗値は例えば、第１の実施の形態で説明した抵抗１１３と同じ抵抗値であり、抵抗１１２の抵抗値をRΩとした場合、抵抗１１３ａおよび抵抗１１３ｂの合成抵抗値はR/3.8Ωとなる。
【００７４】
次に、ＩＣ２ａに設定されるモードの種類に応じてスイッチ１１８のオン／オフを制御する制御回路１３ａの説明を行う。図３、および、図４に示す制御回路１３ａの抵抗３１１の一端は、抵抗３０１の一端と接続されている。抵抗３１１の他端は、抵抗３１２の一端と、コンパレータ３１３の非反転入力端子とに接続されている。抵抗３１２の一端は、抵抗３１１の他端に接続され、抵抗３１２の他端はグランドに接続されている。
コンパレータ３１３の非反転入力端子は、抵抗３１１の他端と、抵抗３１２の一端とに接続されている。またコンパレータ３１３の反転入力端子は、基準電源３１４と接続され、コンパレータ３１３の出力端子は、ＡＮＤ回路３１６の一方の入力端に接続されている。
【００７５】
基準電源（例えば、1.25V）３１４の一端は、コンパレータ３１３の反転入力端子と接続され、他端はグランドに接続されている。
インバータ３１５の入力端は、インバータ３０５の出力端に接続され、インバータ３１５の出力端はＡＮＤ回路３１６の他方の入力端に接続されている。ここで、スイッチングレギュレータ１０を第１シリーズレギュレータ１１aに接続する「低損失モード」にモードを設定する場合は、設定時にインバータ３０５の入力端にＬｏｗ信号が入力されるよう設定される。また、スイッチングレギュレータ１０を第１シリーズレギュレータ１１aに接続せずに「熱分散モード」にモードを設定する場合は、設定時にインバータ３０５の入力端にＨｉｇｈ信号が入力されるよう設定される。
【００７６】
ＡＮＤ回路３１６の一方の入力端はコンパレータ３１３の出力端と接続され、ＡＮＤ回路３１６の他方の入力端は、インバータ３１５の出力端と接続されている。また、ＡＮＤ回路３１６の出力端は第１シリーズレギュレータのスイッチ１１８に信号を出力する構成となっている。
【００７７】
制御回路１３ａの抵抗３１１および抵抗３１２の抵抗値は、抵抗３１１と抵抗３１２とが分圧するバッテリ電源３からの入力電圧が第２基準電圧（例えば、11V）の場合に、11Vを抵抗３０１および抵抗３０２で分圧した接点ＣＰ６の電圧が、基準電源３１４の電圧（例えば、1.25V）と同じ電圧となるように予め設定されている。例えば、抵抗３１１をRΩとすると、抵抗３１２の抵抗値はR/7.8Ωとなる。
【００７８】
そして、スイッチングレギュレータ１０が第１シリーズレギュレータ１１ａに接続される「低損失モード」に設定された場合は、インバータ３０５の入力端にはＬｏｗ信号が入力され、インバータ３０５の出力端からのＨｉｇｈ信号がインバータ３１５の入力端に入力される。そして、インバータ３１５の出力端からはＬｏｗ信号がＡＮＤ回路３１６の他方の入力端に入力されることで、ＡＮＤ回路３１６の出力端からは、スイッチ１１８にＬｏｗ信号が出力され、スイッチ１１８はオフ状態となる。
【００７９】
その結果、第１シリーズレギュレータ１１ａは、接点ＣＰ１の電圧を第１目標電圧（例えば、6V）に対応させて、抵抗１１２と、抵抗１１３aおよび抵抗１１３ｂの合成抵抗とで6Vを分圧したときに、接点ＣＰ２の電圧が基準電源１１５の電圧と同じ1.25Vが得られるように、接点ＣＰ１の電圧を分圧する抵抗素子の抵抗値（抵抗１１２の抵抗値をRΩとすると、抵抗１１３ａおよび抵抗１１３ｂの合成抵抗値がR/3.8Ω）を設定する。
【００８０】
また、スイッチングレギュレータ１０が第１シリーズレギュレータ１１ａに接続されない「熱分散モード」に設定された場合には、インバータ３０５の入力端にはＨｉｇｈ信号が入力され、インバータ３０５の出力端からのＬｏｗ信号がインバータ３１５の入力端に入力される。そして、インバータ３１５の出力端からはＨｉｇｈ信号がＡＮＤ回路３１６の他方の入力端に入力される。また、抵抗３１１および抵抗３１２で分圧する接点ＣＰ６の電圧がコンパレータ３１３の一方の入力端に入力される。さらに、基準電源３１４の電圧がコンパレータ３１３の他方の入力端に入力され、接点ＣＰ６の電圧と基準電源３１４の電圧とをコンパレータ３１３が比較する。そして、入力電圧が第２基準電圧を超えるときは、接点ＣＰ６の電圧が基準電源３１４の電圧を超えることとなり、コンパレータ３１３の出力端からＡＮＤ回路３１６の一方の入力端にＨｉｇｈ信号が出力される。その結果ＡＮＤ回路３１６の出力端からはＨＩｇｈ信号がスイッチ１１８に出力され、スイッチ１１８はオン状態となる。
【００８１】
以上のように、制御回路１３ａは、接点ＣＰ１の電圧を第１目標電圧よりも高い電圧値である第２目標電圧（例えば、10V）に対応させて、抵抗１１２と抵抗１１３aとで10Vを分圧したときに、接点ＣＰ２の電圧が基準電源１１５の電圧と同じ1.25Vが得られるように接点ＣＰ１の電圧を分圧する抵抗素子の抵抗値（抵抗１１２の抵抗値をRΩとすると、抵抗１１３ａおよび抵抗１１３ｂの合成抵抗値がR/7Ω）を設定する。
【００８２】
このようにスイッチ１１８をオン状態とすると、スイッチ１１８がオフ状態の場合に抵抗１１３aおよび抵抗１１３ｂを流れていた電流は、抵抗１１３ｂを介さずに抵抗１１３aを流れた後、スイッチ１１８がオン状態となった経路を流れてグランドに流れ込むこととなる。このため、抵抗１１３ａおよび抵抗１１３ｂは、スイッチ１１８のオン／オフにより合成抵抗値が変化する一種の可変抵抗であるともいえる。
【００８３】
また、「熱分散モード」に設定された場合には、インバータ３０５の入力端にはＨｉｇｈ信号が入力され、インバータ３０５の出力端からのＬｏｗ信号がインバータ３１５の入力端に入力される。そして、インバータ３１５の出力端からはＨｉｇｈ信号がＡＮＤ回路３１６の他方の入力端に入力される。また、抵抗３１１および抵抗３１２で分圧する接点ＣＰ６の電圧がコンパレータ３１３の一方の入力端に入力される。さらに、基準電源３１４の電圧がコンパレータ３１３の他方の入力端に入力され、接点ＣＰ６の電圧と基準電源３１４の電圧とをコンパレータ３１３が比較する。そして、入力電圧が第２基準電圧を下回るときは、接点ＣＰ６の電圧が基準電源３１４の電圧を下回ることとなり、コンパレータ３１３の出力端からＡＮＤ回路３１６の一方の入力端にＬｏｗ信号が出力される。その結果、ＡＮＤ回路３１６の出力端からはＬｏｗ信号がスイッチ１１８に出力され、スイッチ１１８はオフ状態となる。
【００８４】
以上のように、制御回路１３ａは、接点ＣＰ１の電圧を第１目標電圧（例えば、6V）に対応させて、抵抗１１２と抵抗１１３aおよび抵抗１１３bとで6Vの電圧を分圧したときに、接点ＣＰ２の電圧が基準電源１１５の電圧と同じ1.25Vが得られるように抵抗素子の抵抗値（抵抗１１２の抵抗値をRΩとすると、抵抗１１３ａおよび抵抗１１３ｂの合成抵抗値がR/3.8Ω）を設定する。これにより、基本的な回路構成を変更することなく必要に応じた設計が可能となり、ＩＣ２ａの汎用性を向上させられる。
【００８５】
このように、制御回路１３ａは、第１シリーズレギュレータ１１ａに対してスイッチングレギュレータ１０が並列に接続されるか否かに応じて、第１シリーズレギュレータ１１ａのアナログ演算回路である誤差アンプ１１４の入力端子に接続された抵抗素子（抵抗１１３ａおよび抵抗１１３ｂ）の抵抗値（抵抗１１３ａおよび抵抗１１３ｂの合成抵抗値）を設定する。
【００８６】
つまり、スイッチングレギュレータ１０が第１シリーズレギュレータ１１ａに並列に接続される場合は、抵抗素子を用いて分圧する電圧の第１目標電圧に対応させて、抵抗素子の抵抗値を設定し、スイッチングレギュレータ１０が第１シリーズレギュレータ１１ａに並列に接続されない場合は、入力電圧に応じて、抵抗素子を用いて分圧する電圧の第１目標電圧、および、第１目標電圧よりも高い電圧値である第２目標電圧のいずれか一方の目標電圧に対応させて、抵抗素子の抵抗値を設定する。これにより、基本的な回路構成を変更することなく必要に応じた設計が可能となり、ＩＣ２ａの汎用性を向上させられる。
【００８７】
＜変形例＞
以上、本発明の実施の形態について説明してきたが、この発明は上記実施の形態に限定されるものではなく様々な変形が可能である。以下では、このような変形例について説明する。なお、上記実施の形態で説明した形態、および、以下で説明する形態を含む全ての形態は、適宜に組み合わせ可能である。
【００８８】
上記実施の形態において、第１目標電圧（6.0V）、第２目標電圧（10V）、および、基準電源１１５（1.25V）等の電圧値は一例であり、他の電圧値であってもよい。
【００８９】
また、上記実施の形態において、ＰＮＰトランジスタ１１１、および、ＰＮＰトランジスタ２０１はスイッチング素子の一例を示したものであり、回路構成を変更して他のスイッチング素子（例えば、ＮＰＮトランジスタ）に変更してもよい。
【００９０】
また、上記実施の形態において、誤差アンプ１１４、および、誤差アンプ２０４はアナログ演算回路の一例を示したものであり、回路構成を変更して他のアナログ演算回路に変更してもよい。
【００９１】
また、上記実施の形態において、図２で説明した示した各レギュレータの駆動に対応する入力電圧および出力電圧の電圧値は一例であり、各レギュレータの入出力電圧の特性が保たれれば他の電圧値に変更してもよい。
【００９２】
また、上記実施の形態において、図２で説明した入力電圧に応じた駆動状態は、ヒステリシスを用いてもよい。例えば、図２下図の第１シリーズレギュレータの駆動状態における入力電圧8Vの出力電圧の変化にヒステリスを適用して、8Vを境とした頻繁な出力電圧の変動が行われないようにしてもよい。
【符号の説明】
【００９３】
１・・・・・電源回路
１０・・・・スイッチングレギュレータ
１１・・・・第１シリーズレギュレータ
１２・・・・第２シリーズレギュレータ
１３・・・・制御回路
【図１】
0005944172.tif 000002
【図２】
0005944172.tif 000003
【図３】
0005944172.tif 000004
【図４】
0005944172.tif 000005